(57)【特許請求の範囲】
【請求項１】
底部と、底部の相対する一方の土手部にヒンジ連結された相対する一方の側壁と、前記相対する一方の土手部より高い相対するもう一方の土手部にヒンジ連結された相対するもう一方の側壁とからなり、箱型に組み立てられた状態から、先ず最初に、前記相対する一方の側壁を、底部に重なるように倒し、次いで、前記相対するもう一方の側壁を倒すことにより、折り畳むことができる折り畳みコンテナーにおいて、前記底部の高さの高いもう一方の土手部と、該もう一方の土手部より高さの低い一方の土手部とにより形成される隅部には、前記一方の土手部方向に延在するとともに、前記もう一方の土手部の上面と面一な上面を有するずれ防止ブロックが形成されており、且つ、前記ずれ防止ブロックの上面ともう一方の土手部の水平部の上面とは、面一に形成されており、また、前記後から倒される側壁を構成する垂直端側部付近には、前記後から倒される側壁が倒された際に、前記ずれ防止ブロックが挿入されるずれ防止ブロック挿入部が形成されており、該ずれ防止ブロック挿入部は、もう一方の側壁を構成する垂直端側部付近に位置する下端水平リブを、上方に膨出させることにより形成されており、更に、前記後から倒される側壁を構成する垂直端側部には、前記ずれ防止ブロック挿入部に隣接して、前記後から倒される側壁の相対する垂直端側部のずれ防止ブロック挿入部付近に位置する部分を、凹ますことにより、前記ずれ防止ブロック挿入部を形成する垂直端側部側に位置する側板と、天板と、底板と、相対する側板とからなる凹部が形成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
本出願人は、先の出願（特許文献１）において、底部１と、底部１の相対する長辺側土手部にヒンジ連結された長側壁２と、底部１の相対する短辺側外壁１ｃにヒンジ連結された短側壁３とからなる公知の折り畳みコンテナーにおいて、底部１の４つの角部に、長辺側土手部方向に延在する長辺側部分１ｄ１と、短辺側外壁１ｃに沿って延在する短辺側部分１ｄ２とからなる、平面形状が略Ｌ字状の角部載置ブロック１ｄが形成されているとともに、短辺側部分１ｄ２は、短辺側外壁１ｃより内側で、且つ、短辺側外壁１ｃに沿って延在しており、また、短辺側部分１ｄ２の外側には、段部１ｄ３が形成されている折り畳みコンテナーを提案した。更に、長側壁２の周辺リブを構成する下部水平部２ｂ１の両端部付近には、折り畳みコンテナーを折り畳んだ際に、底部１に形成された角部載置ブロック１ｄの短辺側部分１ｄ２が挿入されるような、下方が解放された凹部２ｍが形成されている。
【０００３】
折り畳みコンテナーを折り畳んだ際に、底部１に形成された角部載置ブロック１ｄの短辺側部分１ｄ２が、長側壁２の下部水平部２ｂ１に形成された凹部２ｍに挿入されるように構成することにより、折り畳まれた状態の折り畳みコンテナーを段積みした際に、下に位置する折り畳まれた状態の折り畳みコンテナーの長側壁２が、水平方向にずれることを防止することができるので、従って、安定した状態で、多数の折り畳まれた状態の折り畳みコンテナーを段積みすることができるものである。
【先行技術文献】
【特許文献】
【０００４】
【特許文献１】特許第３９４４４１２号公報
【発明の概要】
【発明が解決しようとする課題】
【０００５】
上述した、底部１に形成された角部載置ブロック１ｄの短辺側部分１ｄ２の厚さが薄いと、折り畳まれた状態の折り畳みコンテナーを段積みした際に、上方に段積みされた折り畳まれた状態の折り畳みコンテナーの負荷により、短辺側部分１ｄ２が損傷するという問題があった。
【０００６】
また、底部１に形成された角部載置ブロック１ｄの短辺側部分１ｄ２の厚さを厚くすると、長側壁２の下部水平部２ｂ１に形成された凹部２ｍを構成する外側壁部２ｍ１を薄くせざるをえず、従って、長側壁２のこの部分の強度が低下するという問題があった。
【０００７】
更に、長側壁２の下部水平部２ｂ１に形成された凹部２ｍを構成する外側壁部２ｍ１を二重壁状構造とした場合には、二重壁状構造を成形するための金型を薄くしなければならず、従って、金型の強度が低下し、金型が損傷するという問題があった。
【０００８】
本発明の目的は、上述した従来の発明が有する課題を解決することにある。
【課題を解決するための手段】
【０００９】
底部と、底部の相対する一方の土手部にヒンジ連結された相対する一方の側壁と、前記相対する一方の土手部より高い相対するもう一方の土手部にヒンジ連結された相対するもう一方の側壁とからなり、箱型に組み立てられた状態から、先ず最初に、前記相対する一方の側壁を、底部に重なるように倒し、次いで、前記相対するもう一方の側壁を倒すことにより、折り畳むことができる折り畳みコンテナーにおいて、前記底部の高さの高いもう一方の土手部と、該もう一方の土手部より高さの低い一方の土手部とにより形成される隅部には、前記一方の土手部方向に延在するとともに、前記もう一方の土手部の上面と面一な上面を有するずれ防止ブロックが形成されており、且つ、前記ずれ防止ブロックの上面ともう一方の土手部の水平部の上面とは、面一に形成されており、また、前記後から倒される側壁を構成する垂直端側部付近には、前記後から倒される側壁が倒された際に、前記ずれ防止ブロックが挿入されるずれ防止ブロック挿入部が形成されており、該ずれ防止ブロック挿入部は、もう一方の側壁を構成する垂直端側部付近に位置する下端水平リブを、上方に膨出させることにより形成されており、更に、前記後から倒される側壁を構成する垂直端側部には、前記ずれ防止ブロック挿入部に隣接して、前記後から倒される側壁の相対する垂直端側部のずれ防止ブロック挿入部付近に位置する部分を、凹ますことにより、前記ずれ防止ブロック挿入部を形成する垂直端側部側に位置する側板と、天板と、底板と、相対する側板とからなる凹部を形成したものである。
【発明の効果】
【００１０】
底部と、底部の相対する一方の土手部にヒンジ連結された相対する一方の側壁と、前記相対する一方の土手部より高い相対するもう一方の土手部にヒンジ連結された相対するもう一方の側壁とからなり、箱型に組み立てられた状態から、先ず最初に、前記相対する一方の側壁を、底部に重なるように倒し、次いで、前記相対するもう一方の側壁を倒すことにより、折り畳むことができる折り畳みコンテナーにおいて、前記底部の高さの高いもう一方の土手部と、該もう一方の土手部より高さの低い一方の土手部とにより形成される隅部には、前記一方の土手部方向に延在するとともに、前記もう一方の土手部の上面と面一な上面を有するずれ防止ブロックが形成されており、また、前記後から倒される側壁を構成する垂直端側部付近には、前記後から倒される側壁が倒された際に、前記ずれ防止ブロックが挿入されるずれ防止ブロック挿入部が形成されており、更に、前記後から倒される側壁を構成する垂直端側部には、前記ずれ防止ブロック挿入部に隣接して、凹部を形成したので、前記垂直端側部の下端部の強度や剛性を高めることができ、従って、前記垂直端側部の下端部を薄くすることができ、ひいては、底部に形成された防止ブロック挿入部の厚さを厚くすることができるので、折り畳まれた状態の前記後から倒される側壁に、水平方向の負荷が加わっても、前記ずれ防止ブロックが損傷するようなことを防止することができる。
【００１１】
底部と、底部の相対する一方の土手部にヒンジ連結された相対する一方の側壁と、前記相対する一方の土手部より高い相対するもう一方の土手部にヒンジ連結された相対するもう一方の側壁とからなり、箱型に組み立てられた状態から、先ず最初に、前記相対する一方の側壁を、底部に重なるように倒し、次いで、前記相対するもう一方の側壁を倒すことにより、折り畳むことができる折り畳みコンテナーにおいて、前記底部の高さの高いもう一方の土手部と、該もう一方の土手部より高さの低い一方の土手部とにより形成される隅部には、前記一方の土手部方向に延在するとともに、前記もう一方の土手部の上面と面一な上面を有するずれ防止ブロックが形成されており、また、前記後から倒される側壁を構成する垂直端側部付近には、前記後から倒される側壁が倒された際に、前記ずれ防止ブロックが挿入されるずれ防止ブロック挿入部が形成されており、更に、前記後から倒される側壁を構成する垂直端側部には、前記ずれ防止ブロック挿入部に隣接して、凹部を形成したので、前記垂直端側部の下端部の強度や剛性を高めることができ、従って、前記垂直端側部の下端部を薄くすることができ、ひいては、底部に形成された防止ブロック挿入部の厚さを厚くすることができるので、折り畳まれた状態の折り畳みコンテナーを、多数、段積みした際に、前記高さの高い土手部の水平部と面一に形成された前記ずれ防止ブロックの上面に、上方から負荷が加わっても、前記ずれ防止ブロックが損傷するようなことを防止することができる。
【図面の簡単な説明】
【００１２】
【図１】図１は、本発明の折り畳みコンテナーの箱型に組み立てられた状態の斜視図である。
【図２】図２は、本発明の折り畳みコンテナーを構成する底部の角部の部分拡大斜視図である。
【図３】図３は、本発明の折り畳みコンテナーを構成する長側壁の下部角部の部分拡大斜視図である。
【図４】図４は、図３に示されている長側壁の下部角部の部分断面図を含む部分拡大斜視図である。
【図５】図５は、本発明の折り畳みコンテナーが折り畳まれた状態の部分拡大斜視図である。
【図６】図６は、従来の折り畳みコンテナーが折り畳まれた状態の部分拡大斜視図である。
【実施例】
【００１３】
以下に、本発明の実施例について説明するが、本発明の趣旨を越えない限り何ら、本実施例に限定されるものでない。
【００１４】
本発明の全体構成は、図１に示されているように、底部１０と、底部１０の相対する長辺側土手部１０ａにヒンジ連結された長側壁２０と、底部１０の相対する短辺側土手部１０ｂにヒンジ連結された短側壁３０とから構成されており、短辺側土手部１０ｂの高さは、長辺側土手部１０ａの高さより、低く構成されている。図１に示されている箱型に組み立てられた状態から、先ず最初に、短側壁３０を、底部１０に重なるように倒し、次いで、長側壁２０を、底部１０に重ねられた短側壁３０に重なるように倒すことにより、折り畳みコンテナーをコンパクトに折り畳むことができるように構成されている。なお、長辺側土手部１０ａは、公知のように、底部１０の底板１０ｄの一辺から垂直に立設する内壁部１０ａ１と、該内壁部１０ａ１の上端から外側に向かって水平に延在する水平部１０ａ２と、該水平部１０ａ２の先端縁から、内壁部１０ａ１と略平行に下方に延在する外壁部１０ａ３とかなり、長辺側土手部１０ａの長手方向に対して垂直な断面形状が、略逆Ｕ字状に形成されている。また、このような構成の折り畳みコンテナーは、公知であるので、ヒンジ連結部等の詳細な説明は省略する。
【００１５】
図２に示されているように、底部１０の長辺側土手部１０ａと、該長辺側土手部１０ａより高さの低い短辺側土手部１０ｂとに形成される隅部の短辺側土手部１０ｂの外壁面１０ｂ１より、所定の距離だけ引っ込んだ位置には、長辺側土手部１０ａに略垂直に、短辺側土手部１０ｂ方向に延在するずれ防止ブロック１０ｃが形成されており、ずれ防止ブロック１０ｃの上面１０ｃ１と長辺側土手部１０ａの水平部１０ａ２の上面とは、面一に形成されている。また、長辺側土手部１０ａの両端部付近には、長辺側土手部１０ａの内壁部１０ａ１と、長辺側土手部１０ａの水平部１０ａ２と、相対する側壁部１１ａと、底部１１ｂとにより、外側に開口部を有する凹部１１が形成されている。凹部１１は、長辺側土手部１０ａの水平部１０ａ２と凹部１１の底部１１ｂとを連結するて適当数の垂直区画壁部１１ｃにより、区画されている。本実施例においては、凹部１１が、２枚の垂直区画壁部１１ｃにより、区画されている例が示されている。このように、長辺側土手部１０ａの両端部付近に、垂直区画壁部１１ｃにより区画されている凹部１１を形成することにより、折り畳まれた状態の折り畳みコンテナーを、段積みした際に、水平方向に負荷が加わるずれ防止ブロック１０ｃ付近の長辺側土手部１０ａの両端部付近の強度や剛性を高めることができる。
【００１６】
図３に示されているように、長側壁２０には、下端水平リブ２０ａと、相対する垂直端側部２０ｂと、下端水平リブ２０ａの真上に配置された下部水平リブ２０ｃが形成されており、また、下端水平リブ２０ａと下部水平リブ２０ｃとは、下部水平リブ２０ｃを越えて上方に延在する適当数の垂直リブ２０ｄにより連結されている。
【００１７】
また、長側壁２０を構成する垂直端側部２０ｂ付近に位置する下端水平リブ２０ａを、上方に膨出させることにより、天板２０ｅ１と相対する側板２０ｅ２とからなる、下方と、長側壁２０の板部２０’に対して垂直方向に沿った方向が開放された、折り畳みコンテナーが箱型に組み立てられた際に、底部１０に形成されたずれ防止ブロック１０ｃが挿入されるずれ防止ブロック挿入部２０ｅが形成されている。なお、ずれ防止ブロック挿入部２０ｅを形成する天板２０ｅ１の上面にも、該上面の中央部付近から、上方に延在する垂直リブ２０ｄが形成されている。このような垂直リブ２０ｄを、天板２０ｅ１の上面に形成することにより、天板２０ｅ１の強度や剛性を高めることができる。
【００１８】
長側壁２０の相対する垂直端側部２０ｂのずれ防止ブロック挿入部２０ｅ付近に位置する部分を、凹ますことにより、該ずれ防止ブロック挿入部２０ｅを形成する垂直端側部２０ｂ側に位置する側板２０ｅ２と、天板２０ｆ１と、底板２０ｆ２と、相対する側板２０ｆ３とからなる凹部２０ｆが形成されている。
【００１９】
上述したように、ずれ防止ブロック挿入部２０ｅに隣接して、長側壁２０の垂直端側部２０ｂに、凹部２０ｆを形成することにより、垂直端側部２０ｂの下端部の強度や剛性を高めることができる。従って、垂直端側部２０ｂの下端部の長側壁２０の板部２０’に沿った厚さを薄くすることができ、ひいては、ずれ防止ブロック挿入部２０ｅを形成する相対する側板２０ｅ２の間隔を拡げることができる。
【００２０】
従来の折り畳みコンテナーと同様に、折り畳みコンテナーが折り畳まれた際には、底部１０の長辺側土手部１０ａと短辺側土手部１０ｂとに形成される隅部に形成されたずれ防止ブロック１０ｃが、長側壁２０に形成されたずれ防止ブロック挿入部２０ｅに挿入されるように構成されているので、底部２０に対して、長側壁２０が水平方向に移動するようなことを抑制することができ、従って、折り畳まれた状態を、多数、段積みした際に、安定した状態で、折り畳まれた状態の折り畳みコンテナーを、段積みすることができる。
【００２１】
上述したように、ずれ防止ブロック挿入部２０ｅを形成する相対する側板２０ｅ２の間隔を拡げることにより、図５に示されているように、長側壁２０が、倒された際に、ずれ防止ブロック挿入部２０ｅに挿入される、底部１０の長辺側土手部１０ａと短辺側土手部１０ｂとに形成される隅部に形成されたずれ防止ブロック１０ｃの長辺側土手部１０ａに沿った厚さを厚くすることができ、従って、倒された状態の長側壁２０に、水平方向の負荷が加わっても、ずれ防止ブロック１０ｃが損傷するようなことを防止することができる。
【００２２】
また、折り畳まれた状態の折り畳みコンテナーを、多数、段積みした際には、長辺側土手部１０ａの水平部１０ａ２と面一に形成されたずれ防止ブロック１０ｃの上面１０ｃ１にも、上方から、相当に負荷がかかることになるが、ずれ防止ブロック１０ｃの厚さを厚くすることにより、ずれ防止ブロック１０ｃの損傷を防止することができる。
【符号の説明】
【００２３】
１０・・・・・・・・・・・底部
１０ａ・・・・・・・・・・長辺側土手部
１０ｂ・・・・・・・・・・短辺側土手部
２０・・・・・・・・・・・長側壁
２０ｅ・・・・・・・・・・ずれ防止ブロック挿入部
２０ｆ・・・・・・・・・・凹部
３０・・・・・・・・・・・短側壁
【図１】
0005420496.tif 000002
【図２】
0005420496.tif 000003
【図３】
0005420496.tif 000004
【図４】
0005420496.tif 000005
【図５】
0005420496.tif 000006
【図６】
0005420496.tif 000007